(57)【要約】      （修正有）【課題】電力量計やそれに類似する狭隘な通電部のネジの着脱に好適であり、ゴム手袋を着用した状態でも作業性がよく、通電状態でも安全が確保できるネジ保持治具を提供する。【解決手段】ネジ保持治具１の代表的な構成は、ネジが通過しうる保持部１１と、保持部１１の内面から内側に向かって延設された複数の突起２１とを備え、突起２１は可撓性を有し、複数の方向からネジの軸に到達してこれを保持しうると共に、ネジ頭が通過する際にはたわむことにより退避可能である。【選択図】図１
2008213137.tif 000002
【特許請求の範囲】
【請求項１】
ネジが通過しうる筒体からなる保持部と、
前記保持部の内面から内側に向かって延設された複数の突起とを備え、
前記突起は可撓性を有し、複数の方向からネジの軸に到達してこれを保持しうると共に、ネジの頭が通過する際にはたわむことにより退避可能であることを特徴とするネジ保持治具。
【請求項２】
前記保持部と連通する略錐体のガイド部を備え、
前記ガイド部は、径の大きな側を開口端とし、前記保持部に連続する端部に向かって内径が漸減することを特徴とする請求項１記載のネジ保持治具。
【請求項３】
略筒体からなる保持部と、
前記保持部に連通し開口端に向かって内径が漸増する略錐体のガイド部と、
前記保持部の開口部から前記ガイド部に到り該保持部の軸線方向に形成したスリットとを備え、
前記保持部およびガイド部は弾性を有し、ネジを圧入して前記スリットが広がることにより、該ネジを保持および通過しうることを特徴とするネジ保持治具。
【請求項４】
さらに、前記保持部の内面から内側に向かって延設された複数の突起を備えることを特徴とする請求項３記載のネジ保持治具。
【請求項５】
前記保持部は、前記ガイド部と連続する略錐体であることを特徴とする請求項２または請求項３に記載のネジ保持治具。
【請求項６】
前記ガイド部を透明材料にて形成したことを特徴とする請求項２または請求項３に記載のネジ保持治具。
【請求項７】
前記保持部および突起は、絶縁性材料で形成したことを特徴とする請求項１または請求項４に記載のネジ保持治具。
【請求項８】
前記突起は、前記保持部の２以上の位置に配置されていることを特徴とする請求項１または請求項４に記載のネジ保持治具。
【請求項９】
前記突起は、前記保持部の軸方向に複数配列されていることを特徴とする請求項１または請求項４に記載のネジ保持治具。
【請求項１０】
前記保持部に接続された把持部を備えていることを特徴とする請求項１または請求項３に記載のネジ保持治具。
【請求項１１】
絶縁性材料からなり、
ネジが通過しうる筒体からなる保持部と、
前記保持部の内面から内側に向かって延設された複数の突起と、
前記保持部と連通する略錐体のガイド部とを備え、
前記保持部およびガイド部は一体かつ両端が開口した円錐筒形の本体をなし、
前記保持部は前記円錐筒形の細口な開口部近傍であり、
前記保持部の開口部から前記ガイド部に到り該保持部の軸線方向に形成したスリットと、
前記保持部の内面に設けた前記複数の突起と、を備えたことを特徴とするネジ保持治具。
【発明の詳細な説明】
【技術分野】
【０００１】
本発明はネジを着脱する際にこれを保持する治具に関し、特に通電部におけるネジの着脱を効率的に、かつ、安全に行うための冶具（補助具）に関するものである。
【背景技術】
【０００２】
低圧電力線は、ネジにより機器等に固定・接続されていることがある。この低圧電力線の機器等からの抜き差しにおいては、非通電状態で作業するのが望ましい。しかし電力需要家等の都合や電力系統で常時接続されているという設備構成上の都合により電気を継続使用した状況、つまり、通電状態にて作業せざるを得ない場合がある。
【０００３】
このような例として、電力需給契約の変更に伴う需要家に設置する電力量計の取り替え作業があげられる。この電力量計は、修理や再生利用等も考慮し、端子台（ネジ留め部分）が分解できる構造となっている。このためネジを緩めすぎた場合の脱落防止の措置はされておらず、低圧電力線の抜き差しの時に、ネジが脱落することもある。
【０００４】
脱落したネジは、再び留めておく必要がある。しかし電力量計からの低圧電力線の抜き差しにおいては、感電防止のためにゴム手袋を着用しての作業になる。また電力量計の壁等への取付位置は目線より高い場合が多い。さらに端子台は狭隘（隣り合うネジ頭の間隔が短いこと）であるため、ネジ孔とネジのかみ合わせが適切でないとドライバーによるネジの圧入の時にネジが横ずれてしまい、隣の端子とネジが短絡することでアークが発生してしまう場合がある。これらのことから、ネジが脱落した場合の再度のネジ留めは作業性が著しく悪い。
【０００５】
従来からも、ネジ留めに際してドライバーの先端にネジを保持するために、さまざまな治具が提案されている。普及しているもののうち代表的なものは、ドライバーの先端を磁化する構成である。特許文献１（実開平５−２０８７３）には、ドライバーの先端に外筒を取り付け、外筒に溝を形成することによって弾性を持たせ、ネジの頭を保持させる構成が提案されている。特許文献２（実開平７−１１２７６）には、ドライバーの先端に、先端を内側に屈曲させた複数の爪を備え、ネジの頭を保持する構成が記載されている。また特許文献３（実用新案登録３１１７８２７号）には、ドライバーの先端に、先端が折曲された爪を備えた複数のアームを備え、ネジの頭を保持する構成が記載されている。
【特許文献１】実開平５−２０８７３号公報
【特許文献２】実開平７−１１２７６号公報
【特許文献３】実用新案登録第３１１７８２７号
【発明の開示】
【発明が解決しようとする課題】
【０００６】
しかし、電力量計のように屋外に設置される機器は、防錆や耐候性のために鉄ではなく黄銅製等のネジが使用される。このように非磁性材料のネジは、先端部に磁性を帯びたドライバーによる保持ができない。
【０００７】
また、特許文献１のようにネジを覆ってしまう構成であると、ネジ周辺の視認性が悪くなり、狭隘な通電部での作業がやりにくくなってしまう。特許文献２や特許文献３のように金属製の爪を備えていると、通電状態で使用するために、短絡のおそれが高くなってしまう。さらにゴム手袋を着用した状態では細かい作業ができないため、小さなネジの軸部を掴んで頭を爪にはめるのは困難な作業である。
【０００８】
なお、電気安全の面から、ビニルテープによる端子台の養生（作業対象となる部分以外をビニルテープにて絶縁）する手段もある。しかしこの手段を取ると、ビニルテープを幾度も貼り替えなければならなくなるため、作業効率が低下してしまう。
【０００９】
そこで本発明は、このような電力量計やそれに類似する狭隘な通電部のネジの着脱に好適であり、ゴム手袋を着用した状態でも作業性がよく、通電状態でも安全が確保できるネジ保持治具を提供することを目的としている。
【課題を解決するための手段】
【００１０】
上記課題を解決するために、本発明にかかるネジ保持治具の代表的な構成は、ネジが通過しうる筒体からなる保持部と、保持部の内面から内側に向かって延設された複数の突起とを備え、突起は可撓性を有し、複数の方向からネジの軸に到達してこれを保持しうると共に、ネジの頭が通過する際にはたわむことにより退避可能であることを特徴とする。
【００１１】
上記構成によれば、ネジは保持部の中において複数の突起が軸部に当接することによって保持される。すなわち、ネジを保持部の中に挿入するだけで保持されるため、ゴム手袋をした状態であっても容易に保持させることができる。またドライバの先端に保持させる構成よりもネジの位置決めをしやすく、狭隘な箇所の作業にも好適である。特に、ネジの頭ではなく軸部を保持する構成としたことにより、ネジが保持されやすく、かつ外れにくいため、作業性が極めて高い。
【００１２】
なお保持部は円筒形または円錐筒形であってもよいが、多角筒または多角錐筒形であってもよい。また、円筒形と円錐筒形を組み合わせ、先端を円筒形とすることでもよい。
【００１３】
保持部と連通する略錐体のガイド部を備え、ガイド部は、径の大きな側を開口端とし、保持部に連続する端部に向かって内径が漸減することが好ましい。これによりさらに筒部にネジを挿入しやすくなり、ゴム手袋をした不自由な状態でも良好な作業性を得ることができる。
【００１４】
なおガイド部は円錐筒形であってもよいが、多角錐筒形であってもよい。また全体に亘って錐形の傾きが等しくなくてもよく、例えば大径側の所定長さを筒形としてもよい。
【００１５】
また、本発明にかかるネジ保持治具の代表的な他の構成は、略筒体からなる保持部と、保持部に連通し開口端に向かって内径が漸増する略錐体のガイド部と、保持部の開口部からガイド部に到り該保持部の軸線方向に形成したスリットとを備え、保持部およびガイド部は弾性を有し、ネジを圧入してスリットが広がることにより、該ネジを保持および通過しうることを特徴とする。
【００１６】
上記構成によれば、ガイド部側からネジを圧入すると、スリットが広がることによって保持部の内径が広がり、その弾性力によってネジを保持（挟持）することができる。そして、さらにガイド部側からネジを圧入すれば、ネジは保持部を通過することができる。すなわち、ネジを保持部の中に挿入するだけで保持されるため、ゴム手袋をした状態であっても容易に保持させることができる。またドライバの先端に保持させる構成よりもネジの位置決めをしやすく、狭隘な箇所の作業にも好適である。特に、ネジの頭ではなく軸部を保持する構成としたことにより、ネジが保持されやすく、かつ外れにくいため、作業性が極めて高い。
【００１７】
さらに、スリットを形成した場合にも、保持部の内面から内側に向かって延設された複数の突起を備えていてもよい。これにより保持部の筒体の径よりも小さなネジを保持することができ、幅広く異なる径のネジに対応することができる。
【００１８】
保持部は、ガイド部と連続する略錐体であってもよい。すなわち、保持部とガイド部が一体に形成されていてもよい。このとき、必ずしも保持部とガイド部との境界が明確でなくてもよい。
【００１９】
ガイド部は透明材料にて形成していることが好ましい。これによりガイド部内にあるネジを視認することができ、作業性を向上させることができる。
【００２０】
またネジ保持治具は絶縁性材料によって形成することが好ましい。換言すれば、特別な剛性や弾性を必要としない構造であることにより、任意の材質を用いることができるため、絶縁性材料を採用することができる。これにより、隣の端子に接触しても短絡してしまうことを防止することができ、通電状態でも安全性を確保することができる。
【００２１】
突起は、保持部の２以上の位置に配置されていればよい。すなわち、保持部の内面の全周に配置する必要はなく、対向する2方向、もしくは偏らない3以上の方向に配置することでよい。なお突起は、繊維状、リブ状、ブラシ状など様々な形態を取ることができるが、例えばベルクロテープ（面ファスナー）を好適に利用することができる。
【００２２】
突起は、保持部の軸方向に複数配列されていることが好ましい。これによりネジを安定して保持することができる。
【００２３】
また、保持部に接続された把持部を備えていることが好ましい。把持部を備えることによって輸送性および作業性を向上させることができる。なお、上記のガイド部が把持部を兼ねてもよく、その場合ガイド部の大きさを把持できる程度の大きさとすることでよい。
【００２４】
また本発明にかかるネジ保持治具の他の代表的な構成は、絶縁性材料からなり、ネジが通過しうる筒体からなる保持部と、保持部の内面から内側に向かって延設された複数の突起と、保持部と連通する略錐体のガイド部とを備え、保持部およびガイド部は一体かつ両端が開口した円錐筒形の本体をなし、保持部は円錐筒形の細口な開口部近傍であり、保持部の開口部からガイド部に到り該保持部の軸線方向に形成したスリットと、保持部の内面に設けた複数の突起とを備えたことを特徴とする。これにより、上記と同様に、ゴム手袋を着用した状態でも作業性がよく、通電状態でも安全を確保することができる。
【発明の効果】
【００２５】
本発明にかかるネジ保持治具によれば、ゴム手袋を着用した状態でも作業性がよく、効率的にネジの着脱作業をすることができる。また絶縁性材料で形成することができるため、通電状態でも安全を確保することができる。これらのことから、狭隘な通電部のネジの着脱に好適なネジ保持治具とすることができる。
【発明を実施するための最良の形態】
【００２６】
［第一実施形態］
本発明にかかるネジ保持治具の第一実施形態について説明する。図１は本実施形態にかかるネジ保持治具の全体構成図、図２は保持部の構成を説明する図、図３はネジ保持治具の使用態様図である。なお、以下の実施形態に示す寸法、材料、その他具体的な数値などは、発明の理解を容易とするための例示に過ぎず、特に断る場合を除き、本発明を限定するものではない。
【００２７】
図１に示すように、本実施形態にかかるネジ保持治具１は、ネジ８（図３参照）が通過しうる保持部１１と、保持部１１と連通する略錐体のガイド部１２とを備え、保持部１１およびガイド部１２は一体かつ両端が開口した円錐筒形の本体１０をなしている。保持部１１の内面には、内側に向かって（保持部１１の中心軸に向かって）延設された複数の突起２１が配置されている。
【００２８】
保持部１１は、保持部１１とガイド部１２とが連続して一体となった円錐筒形の本体１０の細口な開口部近傍の部位である。本体１０の円錐軸方向長さ及び円錐頂角は、ネジを操作するドライバーの軸長に合わせて適当な長さのものに設定する。
【００２９】
ガイド部１２は、径の大きな側を開口端とし、保持部１１に連続する端部に向かって内径が漸減している。開口端に投入したネジ８は容易に保持部１１へと導かれ、その軸部を突起２１に保持される。このようなガイド部１２により、さらに筒部にネジを挿入しやすくなり、ゴム手袋をした不自由な状態でも良好な作業性を得ることができる。
【００３０】
またガイド部１２は、ネジ保持治具１を取り扱う際の把持部を兼ねている。従って本体１０の円錐軸方向長さは、上述のドライバーの軸長に加え、把持しやすい程度の長さに設定する。さらにガイド部１２の広口開口部近くに孔１２ａを設け、ここに紐などを通すことで携行性をもたせることもできる。
【００３１】
突起２１は、複数の突起２１を備えたネジ保持用材２０を接着することによって保持部１１の内面に配置することができる。具体的には、保持部１１の内面に、対象とするネジ程度の長さ（１ｃｍ程度）の中心軸方向長さを有するネジ保持用材２０、例えばベルクロテープ（オス型）（商品名としてはマジックテープ（登録商標）として著名）を内面円周方向に沿って接着する。なお、保持部１１の口径はネジ保持用材３を接着することによってもネジが挿通できる径以上の大きさにする。
【００３２】
上記構成によれば、ネジは保持部の中において複数の突起が軸部に当接することによって一時的に保持される。すなわち、ネジを保持部の中に挿入するだけで保持されるため、ゴム手袋をした状態であっても容易に保持させることができる。またドライバの先端に保持させる構成よりもネジの位置決めをしやすく、狭隘な箇所の作業にも好適である。特に、ネジの頭ではなく軸部を保持する構成としたことにより、ネジが保持されやすく、かつ外れにくいため、作業性が極めて高い。
【００３３】
また本体１０（保持部１１およびガイド部１２）、突起２１およびネジ保持用材２０は、絶縁性材料によって形成している。上記構成は特別な剛性や弾性を必要としない構造であることにより、任意の材質を用いることができるため、絶縁性材料を採用することができる。これにより、隣の端子に接触しても短絡してしまうことを防止することができ、通電状態でも安全性を確保することができる。
【００３４】
具体的には、保持部１１、ガイド部１２、および突起２１は、絶縁性の樹脂材料、例えばポリエチレン、ポリプロピレン、ＰＶＣ、塩化ビニル、ポリカーボネートなどによって形成することができる。
【００３５】
また本体１０の特にガイド部１２を、透明材料にて形成することが好ましい。これによりガイド部内にあるドライバーの操作及びネジの位置を視認でき、ドライバーの操作性を向上することができる。
【００３６】
さらに図２に示すように、保持部１１の先端にシリコンリング１４を取り付けるか、またはシリコン材料を塗布してもよい。これにより先端が当接した際に滑り止め効果や耐摩耗性を発揮することができ、作業性を向上させることができる。
【００３７】
次に図３を用いて、本実施形態にかかるネジ保持治具１の使用態様について説明する。まずネジ保持治具１の保持部１１を端子台５０のネジ頭８ａに嵌め込み、その状態を保持しつつ、ガイド部１２の広口開口部からドライバー３を差し込み、ドライバー３を回転させてネジ８を緩める。その後、ドライバー３及びネジ保持治具１を端子台５０から離す。この状態で、電力線５２は締結がゆるんでいるため、端子台５０から取り外すことができる。
【００３８】
このようにネジ保持治具１を用いてネジ８を緩めることにより、ドライバー３の先端が迷うことなく、容易に作業を行うことができる。
【００３９】
仮にネジ８を緩めすぎてしまった場合、ドライバー３及びネジ保持治具１を端子台５０から離す時に、ネジ８が端子台５０から外れるおそれがある。この場合もネジ８は、保持部１１によって、すなわちネジ保持治具１の中に保持されることから、端子台５０から離れたネジ８が他の端子と接触することはなく、アークの発生を生じさせることはない。
【００４０】
更に、ネジ８を再び端子台５０に取り付けようとした場合、保持部１１にネジ８を保持させ、保持部１１を再度、端子台５０のネジ孔５１に接合した状態にする。そしてガイド部１２の広口開口部からドライバー３を差し込み、ネジ８を締めることができる。
【００４１】
またネジ８がネジ保持治具１から脱落していた場合や、ネジ８を新しいものに交換したい場合などには、保持部１１内にドライバー３を差し込むことによって容易にネジ保持治具１からネジ８を取り出すことができる。そして、ガイド部１２内にネジ８を投入することにより、ネジ８を容易に保持部１１に保持させることができる。
【００４２】
このように、本実施形態にかかるネジ保持治具１を使用することにより、通電状態でも電気安全を確保しつつ、良好な作業性をもってネジ８の着脱が可能になる。すなわち、端子台５０にネジ８を着脱する際に、絶縁材料からなる円錐筒形の冶具の細口開口部をネジ孔５１又はネジ頭８ａを包むように、かつ、他の通電部と隔離するように接合させ、その円錐筒形内にてドライバー３によるネジ８の操作を行うことで、作業の効率化と安全化を図ることができる。
【００４３】
［第二実施形態］
本発明にかかるネジ保持治具の第二実施形態について説明する。図４は保持部の他の構成を示す図であって、上記第一実施形態と説明の重複する部分については同一の符号を付して説明を省略する。上記第一実施形態において保持部１１は円錐筒形であると説明した。しかし端子台５０のネジ穴付近は狭いため、円錐筒形では保持部が中まで入りにくい場合がある。また保持部１１が円錐筒形ではネジ頭８ａに向かって隙間が広くなっていくため、突起２１の長さによっては十分な保持力を得られない場合がある。
【００４４】
そこで図４に示すように、保持部１１の形状を円筒形と円錐筒形を組み合わせ、先端を円筒部１１ａとすることでもよい。これにより端子台５０に挿入しやすくなり、また、より確実に保持することができる。
【００４５】
［第三実施形態］
本発明にかかるネジ保持治具の第三実施形態について説明する。図５は保持部内面における突起の配置の他の例を示す図であって、上記第一実施形態と説明の重複する部分については同一の符号を付して説明を省略する。上記第一実施形態において突起２１を備えたネジ保持用材２０は内面円周方向に沿って接着すると説明したが、必ずしも全周に亘って配置する必要はなく、ネジ８を保持できる程度に備えていればよい。従って図５に示すように対向する２方向に設けたり、偏らない3以上の方向に配置することでよい。なお突起２１は、繊維状、リブ状、ブラシ状など様々な形態を取ることができる。なお突起２１は、保持部１１の軸方向に複数配列されていることが好ましい。これによりネジ８の軸８ｂを安定して保持することができる。
【００４６】
［第四実施形態］
本発明にかかるネジ保持治具の第四実施形態について説明する。図６はネジ保持治具１に把持部３０を備えた構成を示す図であって、上記第一実施形態と説明の重複する部分については同一の符号を付して説明を省略する。上記第一実施形態においてはガイド部１２が把持部を兼ねると説明したが、図６に示すネジ保持治具２のように、別途把持部３０を設けることでもよい。把持部３０を備えることによって作業性をさらに向上させることができる。
【００４７】
［第五実施形態］
本発明にかかるネジ保持治具の第五実施形態について説明する。図７はネジ保持治具にスリットを備えた構成を示す図、図８はスリットおよび突起を備えた構成を示す図であって、上記第一実施形態と説明の重複する部分については同一の符号を付して説明を省略する。
【００４８】
図７に示すネジ保持治具１は、略筒体からなる保持部１１に、上記第一実施形態と同様に、開口端（広口開口部）に向かって内径が漸増する略錐体のガイド部１２が連通して設けられている。保持部１１およびガイド部１２、すなわち本体１０は、弾性を有する材料によって形成している。本体１０の材料としては、絶縁性と弾性を有する材料、例えばポリエチレン、ポリプロピレン、ＰＶＣ、塩化ビニル、ポリカーボネートなどの樹脂材料によって形成することができる。
【００４９】
一方、保持部１１の細口開口部１１ｂには、細口開口部１１ｂからガイド部１２に到るスリット１６を設けている。スリットは、おおむね保持部１１の軸線に沿った方向に形成している。
【００５０】
上記構成によれば、ガイド部１２側からネジを圧入すると、スリット１６が広がることによって保持部１１の内径が広がり、その弾性力によってネジを保持（挟持）することができる。そして、さらにガイド部１２側からネジを圧入すれば、ネジは保持部１１を通過することができる。すなわち、突起を設けずともネジを保持部の中に保持することができる。
【００５１】
またスリット１６の細口開口部１１ｂと反対側の端部（奥側の端部）には、円孔部１６ａを備えている。これによりスリット１６の端部にかかる応力集中を緩和し、繰り返し使用した場合に端部が裂けてしまうことを防止し、耐久性を向上させることができる。
【００５２】
さらに図８に示すように、スリット１６を形成した場合にも、保持部１１の内面に突起２１を設けてもよい。図８（ａ）は、保持部１１にネジ保持用材２０を接着し、複数の突起２１が保持部１１の内面から内側に向かって延設されるよう構成したものである。これにより保持部１１の筒体の径よりも小さなネジを保持することができ、幅広く異なる径のネジに対応することができる。
【００５３】
また図８（ｂ）は、保持部１１と一体成形によって形成した複数の突起の例を示している。図に示す突起２２は、ベルクロテープのオス型のような繊維状の突起ではなく、例えば突出する半球形状やくさび形状を連設して構成することができる。
【００５４】
上記構成の突起２２は、保持部１１の内部においてネジを進行させる際に、ネジ山やネジの頭とひっかかることにより、その進行を段階的にすることができる。したがってネジの不用意な落下を防止し、保持部１１におけるネジの保持の安定性を向上させることができる。
【００５５】
また図８（ｂ）に示すようにスリット１６の長さを深くし、かつ細口開口部１１ｂを小さくすることにより、異なる径のネジに幅広く対応させることができる。したがって突起２１のように繊維状やブラシ状ではなく、突起２２のように高さの低い突起であっても、十分に保持することができる。またスリットが長くなればネジを保持したときのスリットの開きも小さくなるため、その奥側の端部に円孔部１６ａを設けずとも裂けてしまうおそれがないため、生産工程の削減を図ることができる。
【００５６】
ここで、本体１０は射出成形またはブロー成形によって成形する場合、突起２２は型に食い込んだ状態となっているが、本体１０が弾性を有することにより、型から無理抜き（強制的に型から抜くこと）することができる。また、本体１０を成形する際には突起２２を形成せずに、後からプレスなどによって突起２２を設けることもできる。
【００５７】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【００５８】
例えば保持部１１は円筒形または円錐筒形であると説明したが、多角筒または多角錐筒形であってもよい。また、ガイド部１２も同様に、円錐筒形であってもよいが、多角錐筒形であってもよい。また全体に亘って錐形の傾きが等しくなくてもよく、例えばガイド部１２の大径側の所定長さを筒形としてもよい。
【産業上の利用可能性】
【００５９】
本発明はネジを着脱する際にこれを保持する治具として、特に通電部におけるネジの着脱を効率的に、かつ、安全に行うための冶具（補助具）として利用することができる。
【図面の簡単な説明】
【００６０】
【図１】実施形態にかかるネジ保持治具の全体構成図である。
【図２】保持部の構成を説明する図である。
【図３】ネジ保持治具の使用態様図である。
【図４】保持部の他の構成を示す図である。
【図５】保持部内面における突起の配置の例である。
【図６】ネジ保持治具１に把持部３０を備えた構成を示す図である。
【図７】ネジ保持治具にスリットを備えた構成を示す図である。
【図８】スリットおよび突起を備えた構成を示す図である。
【符号の説明】
【００６１】
１     …ネジ保持治具
３     …ドライバー
８     …ネジ
８ａ   …ネジ頭
８ｂ   …軸
１０   …本体
１１   …保持部
１１ａ  …円筒部
１１ｂ  …細口開口部
１２   …ガイド部
１２ａ  …孔
１４   …シリコンリング
１６   …スリット
１６ａ  …円孔部
２０   …ネジ保持用材
２１、２２   …突起
３０   …把持部
５０   …端子台
５１   …ネジ孔
５２   …電力線
【図１】
2008213137.tif 000003
【図２】
2008213137.tif 000004
【図３】
2008213137.tif 000005
【図４】
2008213137.tif 000006
【図５】
2008213137.tif 000007
【図６】
2008213137.tif 000008
【図７】
2008213137.tif 000009
【図８】
2008213137.tif 000010